(57)【要約】【課題】損傷することなくサムターンへの着脱操作ができ、外観も好いものにする。【解決手段】丸座２０に支持されたサムターン１０に着脱可能に挟着し前記丸座２０の外部に補助摘み部２を突出するサムターンの摘み補助具１において、サムターン１０の摘み部１３の少なくとも片側に沿って裏向きの掛止用段部１５を設け、前記補助摘み部２の基端に前記丸座２０の円形凹部内２２に収まる弾性板部３ａ、３ｂを対向して突設し、一方の弾性板部３ａに前記掛止用段部１５とアンダーカット係合するフック５を設けると共に、他方のフックのない弾性板部３ｂに沿った補助摘み部２の外壁に操作用凹所６を設け、補助摘み部２にかける指力でフック５のある側の弾性板部３ａをフック５の解除方向へ撓ませることができるようにした。【選択図】      図２
0003101515.tif 000002
【実用新案登録請求の範囲】
【請求項１】
丸座に支持されたサムターンに着脱可能に挟着し前記丸座の外部に補助摘み部を突出するサムターンの摘み補助具において、サムターンの摘み部の少なくとも片側に沿って裏向きの掛止用段部を設け、前記補助摘み部の基端に前記丸座の円形凹部内に収まる弾性板部を対向して突設し、一方の弾性板部に前記掛止用段部とアンダーカット係合するフックを設けると共に、他方のフックのない弾性板部に沿った補助摘み部の外壁に操作用凹所を設けたことを特徴とするサムターンの摘み補助具。
【請求項２】
前記フックを設けた弾性板部の突出距離を、前記フックのない弾性板部の突出距離よりも少さく設定したことを特徴とする請求項１記載のサムターンの摘み補助具。
【考案の詳細な説明】
【０００１】
【考案の属する技術分野】
本考案は、引戸に装着される鎌錠のサムターンに関するものであり、詳しくは、サムターンに後付けしてサムターンの操作性を向上させる摘み補助具に関するものである。
【０００２】
【従来の技術】
従来より、引戸の錠前に鎌錠が用いられており、鎌錠の施解錠には一般にサムターンが使われている。
【０００３】
引戸には、戸袋に収納される引き込み戸があり、引戸に装着される鎌錠のサムターンは、引戸の表面から突出して戸袋への引き込みの障害にならないように、サムターンを支持する丸座の円形凹部内に回動自在に納まる構成となっているものがある。
【０００４】
上記従来の丸座内に納まるサムターンは、丸座内に隠れて外観的に良好であるが、指掛りする摘み部分が小さいことから指力が掛けにくく、お年寄りや子供にはその回転操作が困難な場合がある。この問題に対応するものとして、意匠登録第１０７３２８７号公報に、摘み補助具が図示されており、小さなサムターンに大きめの摘み補助具を後付けすることによりサムターンの操作を容易にしている。
【０００５】
図６は、上記従来の摘み補助具の実施の形態を示している。同図に示すように、この摘み補助具６０が使われる引戸５１の鎌錠５０は、丸座５３の円形凹部５３ａ内に支持されているサムターン５４を回動することによりフロント５５から鎌部材５６を出没させ、柱５７に埋設したストライク５８に鎌部材５６を掛け外しすることにより引戸５１の施解錠を行うものである。このサムターン５４における摘み部５４ａの長手方向両端部には、裏向きの掛止用段部５９が両側に沿って設けてある。
【０００６】
一方、摘み補助具６０は、丸座５３の円形凹部５３ａ内に収まる基部６１と、丸座５３の外部に突出する補助摘み部６２とから成り、基部６１にはサムターン５４の掛止用段部５９に係合するフック６３が対向して突設され、補助摘み部６２には前記フック６３を掛け易くする為のスリット６４が設けられている。
【０００７】
この摘み補助具６０をサムターン５４へ後付けする際は、自身の補助摘み部６２に形成したスリット６４により弾性変形することから、フック６３をサムターン５４の掛止用段部５９に容易に係合させることが可能である。このサムターン５４への取り付けた後の摘み補助具６０は、サムターン５４の表面全体を被覆し、基部６１でサムターン５４を挟持する状態に装着される。
【０００８】
【考案が解決しようとする課題】
上記従来の摘み補助具６０は、サムターン５４への後付け操作が容易であるものの、摘み補助具６０が不要になったり、間違って取り付けた為に取り外す必要が生じたとき、フック６３の係合を解除することが難しく、取り外しを簡単に行うことができなかった。また、ドライバー等の工具を使い、スリット６４を強引にこじ開けて取り外すことは可能であるが、摘み補助具６０が損傷したり変形したりして、再使用に耐えなくなる。
【０００９】
また、この摘み補助具６０は、丸座５３の外部に突出する補助摘み部６２にスリット６４が設けてあることから、取り付け後の見映えが悪く、意匠的にも問題があった。
【００１０】
本考案は、上記の問題に鑑みてなされたもので、サムターンへの着脱操作性を向上させ、意匠的にも優れた摘み補助具にすることにある。
【００１１】
【課題を解決するための手段】
本考案は、丸座に支持されたサムターンに着脱可能に挟着して前記丸座の外部に補助摘み部を突出するサムターンの摘み補助具において、サムターンの摘み部の少なくとも片側に沿って裏向きの掛止用段部を設け、前記補助摘み部の基端に前記丸座の円形凹部内に収まる弾性板部を対向して突設し、一方の弾性板部に前記掛止用段部とアンダーカット係合するフックを設けると共に、他方のフックのない弾性板部に沿った前記補助摘み部の外壁に操作用凹所を設けたことを特徴としている。
【００１２】
また、前記フックを設けた弾性板部の突出距離を前記フックのない弾性板部の突出距離よりも少さく設定することが好ましい。
【００１３】
【考案の実施の形態】
以下、本考案のサムターンの摘み補助具の好適な実施の形態を図面を参照さながら詳細に説明する。
【００１４】
図１乃至図５は、本考案の実施の形態を示しており、図１乃至図２に示すように、この摘み補助具１は、丸座２０に組み付けられたサムターン１０に掛着させることにより、サムターン１０の拡大化された摘み部として使用されるものである。
【００１５】
丸座２０は、フランジ部２１と、皿状に形成された円形凹部２２とから成り、円形凹部２２における底板２３の中心には、サムターン１０の回転軸部１１が挿通することによりサムターン１０を回転自在に支持する軸受け孔２４が穿設されており、軸受け孔２４を中心にした底板２３の対称位置には、ビス孔２５、２５が穿設されている。
【００１６】
サムターン１０は、丸座２０の軸受け孔２４よりも大径に形成された円板部１２と、この円板部１２の表面側に一体形成され丸座２０の円形凹部２２の内に位置する横断面が略長方形の函形の摘み部１３と、円板部１２の裏面側に一体形成され丸座２０の受け孔２４の直径よりも小径にして更に小径の周溝ａを有する回転軸部１１とから構成されている。
【００１７】
そして、回転軸部１１の中心には鎌錠の角芯の一端部が嵌挿する角穴１４が形成されており、また、摘み部１３における長手方向両端部のそれぞれ両側に沿って裏向きの掛止用段部１５が形成されている。尚、本考案では、掛止用段部１５は、摘み部１３におけるの長手方向両端部の片側だけに形成してもよい。
【００１８】
このサムターン１０は、その回転軸部１１を丸座２０の軸受け孔２４に挿通して丸座２０に組み込まれ、回転軸部１１の周溝１１ａに抜け止めリング３０を係着することにより、丸座２０から抜け落ちすることなく回転自在に一体化される。
【００１９】
そして、サムターン１０が組み付けられた丸座２０は、引戸に埋設された鎌錠（図指省略）の一側方に、フランジ部２１の表面を引戸の表面に露出した状態でビス孔２５、２５を通すビスによって固着される。
【００２０】
摘み補助具１は、可撓性が生ずる合成樹脂を用いて射出成形方法により成形されており、サムターン１０に掛着されたとき、丸座２０の外部に突出してサムターンの１０摘み部１３に代って機能する補助摘み部２と、この補助摘み部２の基端両長手側から対向して突設され、丸座２０の円形凹部２２内に収まる弾性板部３ａ，３ｂとから構成されている。
【００２１】
この対向する弾性板部３ａ、３ｂの先端中央部には、それぞれサムターン１０の円板部１２に嵌合する浅い切欠凹部４ａ、４ｂが形成されている。
【００２２】
また、弾性板部３ａ、３ｂにおける一方の弾性板部３ａには、サムターン１０の掛止用段部１５と対応する位置に、掛止用段部１５とアンダーカット係合する内向きのフック５が突設されている。
【００２３】
また、フック５を設けた弾性板部３ａに対向する他方の弾性板部３ｂにはフックが設けてなく、フックのない弾性板部３ｂに沿った補助摘み部２の外壁には拇指を当てる為の操作用凹所６が設けてある。
【００２４】
そして、フック５を設けた弾性板部３ａの補助摘み部２基端からの突出距離Ｘは、フックのない弾性板部３ｂの補助摘み部２基端からの突出距離Ｙよりも僅かに少さく設定されており、サムターン１０に摘み補助具１を掛着したとき、フック５を設けた弾性板部３ａの先端が、丸座２０の底板２３から僅かに離れ、フックのない弾性板部３ｂの先端は、丸座２０の底板２３に当接するように設定されている。
【００２５】
摘み補助具１をサムターン１０に取り付けるには、対向する弾性板部３ａ、３ｂの間にサムターン１０の摘み部１３を挿入する。そして、摘み補助具１をサムターン１０に押圧することにより、サムターン１０の円板部１２に浅い切欠凹部４ａ、４ｂが嵌合して位置決めがなされると共にサムターン１０の片側の掛止用段部１５、１５にフック５、５が掛合する。本実施の形態では、掛止用段部１５はサムターン１０の摘み部１３の両側に設けてあるので、掛止用段部１５のあるサイドを探すことなく取り付け操作をすることができる。
【００２６】
この取り付け操作により、摘み補助具１は、その弾性板部３ａ、３ｂでサムターン１０の摘み部１３を弾性的に挟持すると共にフック１５が掛止用段部１５に掛合し、補助摘み部２が丸座２０の外部に突出した状態に取り付けられる。
【００２７】
摘み補助具１が不要になったり、摘み補助具１を間違って取り付けた為に、一度取り付けた摘み補助具１を取り外す必要が生じたときは、補助摘み部２の操作凹所２に拇指を掛けると共にフック５を設けた側の補助摘み部２の外壁へ人差し指、又は人差し指と中指を掛け、拇指を支点にしてフック５を設けた弾性板部３ａが外側に開くように指力をかける。この操作で摘み補助具１が撓んでフック５が移動し、フック５と掛止用段部１５との掛合が解除される。
【００２８】
操作凹所２側の弾性板部３ｂの先端が丸座２０の底板２３に当接していると共に、フック５のある弾性板部３ａの先端が丸座２０の底板２３から僅かに離れていることから、解除操作によるフック５の解除方向への指力が無駄なく働き、フック５の掛合は容易に解除される。フック５の掛合が解除された摘み補助具１は、手前に移動させることでサムターン１０から容易に取り外すことができる。
【００２９】
この摘み補助具１のフック５による掛合は、サムターン１０の摘み部１３の片側でなされているので、摘み補助具１を撓ませるフック５の解除操作は指力だけ可能であり、従来例のように、補助摘み部の弾性変形を容易にする為に設けるスリットは必要としない。
【００３０】
取り外された摘み補助具１は、工具等による損傷を受けることがなく、また、取り外しの操作で発生する撓み変形は弾性力で自己復帰するので、再使用が可能である。
【００３１】
【考案の効果】
本考案は、以上説明したような形態で実施され、以下に記載されるような効果を奏する。
【００３２】
サムターンの摘み部に掛止用段部を設け、補助摘み部の基端に二つの弾性板部を対向して突設し、一方の弾性板部にフックを設けると共に他方のフックのない弾性板部に沿った補助摘み部に操作用凹所を設け、フックの掛合をサムターンの片側で行うように構成し、フックの解除を指力で行うようにしたので、摘み補助具を損傷することなくサムターンから取り外すことが可能となり、取り外した摘み補助具を再使用することができる。
【００３３】
また、指力による僅かな弾性変形でフックの解除が可能なことから、従来例のように、丸座から突出する補助摘み部にスリットを設ける必要がなく、摘み補助具の外観を好くすることができる。
【図面の簡単な説明】
【図１】本考案のサムターンの摘み補助具のサムターンに組み付けた状態を示す断面図。
【図２】図１の分解斜視図。
【図３】本考案の摘み補助具を示す正面図。
【図４】図３のＡ−Ａ矢視方向を示す断面図。
【図５】図４のＢ−Ｂ矢視方向を示す断面図。
【図６】従来例を示す説明図。
【符号の説明】
１  摘み補助具，２  補助摘み部，３ａ、３ｂ  弾性板部，５  フック，６  操作凹所，１０  サムターン，１３  摘み部，１５  掛止用段部，２０  丸座，２２  円形凹部
【図１】
0003101515.tif 000003
【図２】
0003101515.tif 000004
【図３】
0003101515.tif 000005
【図４】
0003101515.tif 000006
【図５】
0003101515.tif 000007
【図６】
0003101515.tif 000008